(57)【要約】【課題】２世帯連携型テレビインターホンなどに組み込んで使用される映像信号伝送方向切換回路を、リレーを用いずに、安価で小型化できる構成とする。【解決手段】映像制御機器から伝送路を通じて出力される上り映像信号を増幅する第１の信号増幅器と、上記伝送路を通じて上記映像制御機器に入力される下り映像信号を増幅する第２の信号増幅器とを、それぞれの入力端子がそれぞれの出力端子に接続されるように結線して構成された、上り／下り映像信号増幅回路と、上記第１の信号増幅器、上記第２の信号増幅器のいずれか一方に電源を通じる能動素子を有した電源制御回路と、上記第１の信号増幅器、上記第２の信号増幅器のいずれか他方の入力側に介装され、制御用能動素子を有した映像信号遮断回路とを備えて構成され、上記能動素子と上記制御用能動素子とを、上記映像制御機器でオン、オフ制御することで、上記第１、第２の信号増幅器による上記上り映像信号、下り映像信号の通過を選択的に行う構成にしている。【選択図】図１
2006270842.tif 000002
【特許請求の範囲】
【請求項１】
映像モニタを有した映像制御機器に付加して使用され、映像制御機器と伝送路との間に介設されて、伝送路を通じて映像制御機器に入、出力される映像信号の伝送方向を選択的に切換える映像信号伝送方向切換回路において、
上記映像信号伝送方向切換回路は、
上記映像制御機器から上記伝送路を通じて出力される上り映像信号を増幅する第１の信号増幅器と、上記伝送路を通じて上記映像制御機器に入力される下り映像信号を増幅する第２の信号増幅器とを、それぞれの入力端子がそれぞれの出力端子に接続されるように結線して構成された、上り／下り映像信号増幅回路と、
上記第１の信号増幅器、上記第２の信号増幅器のいずれか一方に電源を通じる能動素子を有した電源制御回路と、
上記第１の信号増幅器、上記第２の信号増幅器のいずれか他方の入力側に介装される映像信号遮断回路とを備えて構成され、
上記能動素子は、上記映像制御機器によってオン、オフ制御され、同時に上記映像遮断回路は、上記映像制御機器によって映像信号の通過または遮断を制御されることによって、上記上り、下り映像信号を選択的に通過させることを特徴としている映像信号伝送方向切換回路。
【請求項２】
請求項１において、
上記映像信号遮断回路は、接地制御用能動素子と、直流遮断容量とを備えており、この接地制御用能動素子をオン／オフ制御することで、上記第１、第２の信号増幅器のいずれかの入力側を、上記直流遮断容量を介して接地／非接地させて、映像信号を遮断／通過させる構成としている映像信号伝送方向切換回路。
【請求項３】
請求項１において、
上記映像信号遮断回路は、上記第１、第２の信号増幅器に択一的に映像信号を入力させる映像信号入力用能動素子と、電源制御用能動素子とを備えており、
上記電源制御用能動素子をオフ、オン制御することで、上記映像信号入力用能動素子への駆動電源を停止／供給させて、該映像信号を遮断／通過させる構成としている映像信号伝送方向切換回路。
【請求項４】
請求項１において、
上記映像信号遮断回路は、上記第１、第２の信号増幅器のいずれか一方に択一的に映像信号を入力させる映像信号入力用能動素子と、
映像信号入力用能動素子への駆動電源を供給、遮断する電源制御用能動素子と、接地制御用能動素子と、直流遮断容量とを備えており、
上記電源制御用能動素子をオフ、オン制御することで、上記映像信号入力用能動素子への駆動電源を遮断／供給させ、同時に接地制御用能動素子をオン／オフ制御することで、上記第１、第２の信号増幅器のいずれかの入力側を、上記直流遮断容量を介して接地／非接地させて、該映像信号の入力を遮断／供給させる構成としている映像信号伝送方向切換回路。
【請求項５】
音響撮像子器との間で信号線を通じて伝送される、映像信号と、音声信号と、制御信号とを多重化し、分離する第１の信号多重分離回路と、
連携の相手側システムの映像制御機器との間で信号線を通じて伝送される、映像信号と、音声信号と、制御信号とを多重化し、分離する第２の信号多重分離回路と、
上記第１、第２の信号多重分離回路の間に介設され、上記第１の信号多重分離回路で分離された映像信号は通過を許容する一方、上記第２の信号多重分離回路で分離された映像信号は通過を遮断する一方向映像信号伝達回路と、
上記第１、第２の信号多重分離回路で分離された映像信号を処理して、映像モニタに表示させる映像表示回路とを備えたことを特徴とする映像制御機器。
【請求項６】
請求項１〜４のいずれかに記載の映像信号伝送方向切換回路と、伝送路電圧監視手段とを備えており、
上記伝送路電圧監視手段は、
予め準備した抵抗を、電圧検出抵抗の接続された上記伝送路に接続付加して、基準電圧を印加する基準電圧印加手段と、
基準電圧を上記伝送路に加えたときに電圧検出抵抗に生じる上記伝送路の電圧を計測する電圧計測回路とを備えており、
上記上り映像信号を伝送路に出力させる前に、上記基準電圧印加手段によって基準電圧を印加しない状態で上記電圧計測回路よって検出した電圧レベルを判別し、その電圧レベルが上記基準電圧の印加によって定まる所定値であるときには、上記第１の信号増幅器を通じての上り映像信号の通過を禁止する一方、検出した電圧レベルが、上記所定値でないときには、上記基準電圧印加手段を動作し、上記伝送路に基準電圧を印加してから、上記上り映像信号の通過を許可するようにしている映像制御機器用信号伝送方向切換装置。
【請求項７】
それぞれに音響撮像子器と映像制御機器とを上記伝送路に通じる信号線を通じて接続された２台の映像制御機器のそれぞれに、請求項６に記載の映像制御機器用信号伝送方向切換装置を付加し、それらの映像制御機器用信号伝送方向切換装置同士を更に信号線を介して接続して構成された連携型映像信号伝送制御システム。
【請求項８】
請求項７において、上記音響撮像子器がカメラ付きドアホン子器であり、上記映像制御機器がモニタテレビ付きインターホン親機であり、上記信号線は映像信号、音声信号、制御信号、システム電源などを周波数多重化方式によって重畳させて伝送する２線式信号線で構成されて、２世帯連携型テレビインターホンシステムを構成している、連携型映像信号伝送制御システム。
【発明の詳細な説明】
【技術分野】
【０００１】
本発明は、例えば、２世帯のそれぞれに設けたテレビ付インターホンシステムのインターホン親機に組み込まれて、映像信号等を伝送する方向を切換える機能を有する映像信号伝送方向切換回路、映像制御機器及びこれを組み込んだ映像制御機器用信号伝送方向切換装置、それを用いた連携型映像伝送制御システムに関するものである。
【背景技術】
【０００２】
従来、２世帯で独立した、テレビ付インターホンシステムを設けて、それぞれの世帯に設置されるインターホンシステムのインターホン親機同士を同軸ケーブルなどの伝送路によって互いに接続し、連携動作させるものが存在しているが、このような連携システムでは、例えば、親世帯側の住戸が留守の場合、そのテレビカメラ付きドアホン子器に対して、子世帯側住戸のインターホン親機で応答通話ができ、逆の場合も可能になっている。
【０００３】
そして、このようなシステムでは、世帯間のインターホン親機の伝送路には、来客の映像信号や、来客との通話をするための音声信号等が伝送されるが、映像信号の伝送方向は、親世帯、子世帯のいずれかが留守設定をしているかに応じて異なるため、伝送路の両端には、映像信号の伝送方向を切換え、増幅するためのバッファとなる映像信号伝送方向切換回路が必要となっている。
【０００４】
そのような映像信号伝送方向切換回路としては、それぞれのインターホン親機から伝送路に伝送する上り映像信号を増幅する上り信号増幅器と、他システムから伝送路を通じてインターホン親機に伝送されて来る下り映像信号を増幅する下り信号増幅器とを備えており、それらの上り、下りの信号増幅器ではリレーなどの機械的電気スイッチを動作させて、映像信号の伝送方向の切換を行うものが知られている。
【０００５】
例えば、図１１は、従来の映像信号伝送方法切換回路２００の基本構成を示しており、伝送路の途中には、上り信号増幅器２０１と下り信号増幅２０２とを２つのリレーＲｙ１、Ｒｙ２を介在させて並列に接続して、上りと下りの分岐路Ｌ１，Ｌ２を構成し、２つのリレーＲｙ１，Ｒｙ２のリレー接点を同時に一方向（ａ閉あるいはｂ閉）に切換えて伝送方向を切換えている。なお、Ｚ０はインピーダンス調整用抵抗である。
【０００６】
なお、次の特許文献には、ボイススイッチ回路にバンドパスフィルターを設けることにより、親機周囲の騒音を除去するようにした自動交互通話インターホン装置の開示がある。
【特許文献１】特開平１０-１９０８５１号公報
【発明の開示】
【発明が解決しようとする課題】
【０００７】
しかしながら、このような映像信号伝送方向切換回路に用いられるリレーは、機械的電気スイッチであり、他の電子素子に比べてサイズが大きい上にコストも高い。
そのため、リレーに代わる電子素子を用いることにより、映像信号伝送方向切換回路の小型化や低コスト化を図ることが望まれていた。
【０００８】
本発明は、このような問題点を鑑みてなされたものであり、その目的は、リレーを使わずに、映像信号を増幅して、その伝送方向の切換を行うようにした映像信号伝送方向切換回路、及びこれを組み込んだ映像制御機器用信号伝送方向切換装置を提供することにある。
また、他の目的は、これらを組み込んだ連携型映像伝送制御システム、連携型映像伝送制御システムに使用される映像制御機器、２線式の２世帯連携型インターホンシステムを提供することにある。
【課題を解決するための手段】
【０００９】
上記目的のため、請求項１では、第１の発明として、映像信号伝送方向切換回路が提案されている。
ここに、第１の発明は、映像モニタを有した映像制御機器に付加して使用され、映像制御機器と伝送路との間に介設されて、伝送路を通じて映像制御機器に入、出力される映像信号の伝送方向を選択的に切換える映像信号伝送方向切換回路において、上記映像信号伝送方向切換回路は、上記映像制御機器から上記伝送路を通じて出力される上り映像信号を増幅する第１の信号増幅器と、上記伝送路を通じて上記映像制御機器に入力される下り映像信号を増幅する第２の信号増幅器とを、それぞれの入力端子がそれぞれの出力端子に接続されるように結線して構成された、上り／下り映像信号増幅回路と、上記第１の信号増幅器、上記第２の信号増幅器のいずれか一方に電源を通じる能動素子を有した電源制御回路と、上記第１の信号増幅器、上記第２の信号増幅器のいずれか他方の入力側に介装される映像信号遮断回路とを備えて構成され、上記能動素子は、上記映像制御機器によってオン、オフ制御され、同時に上記映像遮断回路は、上記映像制御機器によって映像信号の通過または遮断を制御されることによって、上記上り、下り映像信号を選択的に通過させることを特徴としている。
【００１０】
また、請求項２では、請求項１において、上記映像信号遮断回路は、接地制御用能動素子と、直流遮断容量とを備えており、この接地制御用能動素子をオン／オフ制御することで、上記第１、第２の信号増幅器のいずれかの入力側を、上記直流遮断容量を介して接地／非接地させて、映像信号を遮断／通過させる構成としている。
【００１１】
請求項３では、請求項１において、上記映像信号遮断回路は、上記第１、第２の信号増幅器に択一的に映像信号を入力させる映像信号入力用能動素子と、電源制御用能動素子とを備えており、上記電源制御用能動素子をオフ、オン制御することで、上記映像信号入力用能動素子への駆動電源を停止／供給させて、該映像信号を遮断／通過させる構成としている。
【００１２】
請求項４では、請求項１において、上記映像信号遮断回路は、上記第１、第２の信号増幅器のいずれか一方に択一的に映像信号を入力させる映像信号入力用能動素子と、映像信号入力用能動素子への駆動電源を供給、遮断する電源制御用能動素子と、接地制御用能動素子と、直流遮断容量とを備えており、上記電源制御用能動素子をオフ、オン制御することで、上記映像信号入力用能動素子への駆動電源を遮断／供給させ、同時に接地制御用能動素子をオン／オフ制御することで、上記第１、第２の信号増幅器のいずれかの入力側を、上記直流遮断容量を介して接地／非接地させて、該映像信号の入力を遮断／供給させる構成としている。
【００１３】
請求項５では、第２の発明として、連携型映像制御伝送システムに好適に使用される映像制御機器が提案されている。
ここに、第２の発明は、音響撮像子器との間で信号線を通じて伝送される、映像信号と、音声信号と、制御信号とを多重化し、分離する第１の信号多重分離回路と、連携の相手側システムの映像制御機器との間で信号線を通じて伝送される、映像信号と、音声信号と、制御信号とを多重化し、分離する第２の信号多重分離回路と、上記第１、第２の信号多重分離回路の間に介設され、上記第１の信号多重分離回路で分離された映像信号は通過を許容または禁止する一方、上記第２の信号多重分離回路で分離された映像信号は通過を遮断する一方向映像信号伝達回路と、上記第１、第２の信号多重分離回路で分離された映像信号を処理して、映像モニタに表示させる映像表示回路とを備えたことを特徴としている。
【００１４】
請求項６では、第３の発明として、連携型映像制御伝送システムに好適に使用される映像制御機器用信号伝送方向切換装置が提案されている。
ここに、第３の発明は、請求項１〜４のいずれかに記載の映像信号伝送方向切換回路と、伝送路電圧監視手段とを備えており、上記伝送路電圧監視手段は、予め準備した抵抗を、電圧検出抵抗の接続された上記伝送路に接続付加して、基準電圧を印加する基準電圧印加手段と、基準電圧を上記伝送路に加えたときに電圧検出抵抗に生じる上記伝送路の電圧を計測する電圧計測回路とを備えており、上記上り映像信号を伝送路に出力させる前に、上記基準電圧印加手段によって基準電圧を印加しない状態で上記電圧計測回路よって検出した電圧レベルを判別し、その電圧レベルが上記基準電圧の印加によって定まる所定値であるときには、上記第１の信号増幅器を通じての上り映像信号の通過を禁止する一方、検出した電圧レベルが、上記所定値でないときには、上記基準電圧印加手段を動作し、上記伝送路に基準電圧を印加してから、上記上り映像信号の通過を許可するようにしている。
【００１５】
請求項７では、第４の発明として、連携型映像制御伝送システムが提案されている。
ここに、第４の発明は、それぞれに音響撮像子器と映像制御機器とを上記伝送路に通じる信号線を通じて接続された２台の映像制御機器のそれぞれに、請求項６に記載の映像制御機器用信号伝送方向切換装置を付加し、それらの映像制御機器用信号伝送方向切換装置同士を更に信号線を介して接続して構成されている。
【００１６】
請求項８では、請求項７における連携型映像制御伝送システムを、２世帯連携型テレビインターホンシステムに適用している。
ここに、上記音響撮像子器がカメラ付きドアホン子器であり、上記映像制御機器がモニタテレビ付きインターホン親機であり、上記信号線は映像信号、音声信号、制御信号、システム電源などを周波数多重化方式によって重畳させて伝送する２線式信号線で構成されている。
【発明の効果】
【００１７】
本発明によれば、請求項１〜４のいずれの映像信号伝送方向切換回路もリレーを使用せずに、映像制御機器で能動素子、制御用能動素子をオン、オフ制御することで、上り映像信号と、下り映像信号の伝送方向を切換える構成になっているので、小型化、低コストを図ることができる。
【００１８】
特に、請求項１において、上り／下り映像信号増幅回路の第１の信号増幅器の入力側に制御用能動素子を有した映像信号遮断回路を付加し、第２の信号増幅器に電源を供給、遮断する能動素子を有した電源制御回路を加えて、映像制御機器で、制御用能動素子、能動素子をオン、オフ制御して、上り、下り映像信号の通過を選択的に行う構成にしたものでは、第１の信号増幅器を動作状態にしたまま、上り映像信号の遮断、通過ができるので、受信側にインピーダンス整合用抵抗を必要としない。また、受信側のインピーダンス整合用抵抗と、受信側のインピーダンス整合用抵抗との分圧による損失を解消でき、このため上り信号増幅器の利得を大きく設定する必要もなくなるので、更に低コストが図れる。
【００１９】
請求項５の映像制御機器によれば、一方向映像信号伝達回路を備えていない場合、他方のシステムからみたときの映像信号の入力インピーダンスは、音響撮像子器の入力インピーダンスと映像表示回路の入力インピーダンスとの合成インピーダンスになるのであるが、これによるインピーダンス不整合に起因して映像に乱れが生じる不具合を解消すべく、他方のシステムの映像制御機器から映像信号が伝送されて来た場合に、一方向映像信号伝達回路を機能させることによって、音響撮像子器の入力インピーダンスを考慮せずに済み、これによりインピーダンス不整合の発生を防止し、良好な映像を受信できるようになる。
【００２０】
請求項６の映像制御機器用信号伝送方向切換装置では、映像信号伝送方向切換回路が、互いに連携するため信号線で接続された他方のシステム側に映像信号を通過させる前に、伝送路監視手段によって、他システムからの映像信号の送出の有無を判別するので、伝送路上で映像信号が衝突するような不具合の発生を未然に防止できる。
また、このような構成の映像制御機器用信号伝送方向切換装置は、インターホン親機などを構成する映像制御機器とは個別のオプション装置として外付けして使用することができる。
【００２１】
請求項７の連携型映像信号伝送制御システムによれば、撮像子器と映像制御機器とを組み合わせて構成される独立した２系統の映像信号伝送制御システムのそれぞれに請求項６に記載の映像制御機器用信号伝送方向切換装置を組み込むだけで構成できる。
【００２２】
請求項８によれば、映像制御機器の内部構成を変更させることなく、請求項７に記載の映像制御機器用信号伝送方向切換装置を組み込むだけで、既存のテレビインターホンシステムをそのまま有効利用した、２線式の２世帯連携型テレビインターホンシステムが容易に実現できる。
【発明を実施するための最良の形態】
【００２３】
以下、本発明の実施例について説明する。
【００２４】
図１は、第１の発明として提案する映像信号伝送方向切換回路、図２は、その映像信号伝送方向切換回路を組み込んだ連携型映像信号伝送制御システム、図３は映像制御機器の基本構成を示す図である。
【００２５】
連携型映像信号伝送制御システムは、図２に示したように、同一構成とされた第１のシステムＳ１と、第２のシステムＳ２とを、２線式信号線Ｌで接続して構成されている。
【００２６】
それぞれのシステムＳ１、Ｓ２は、図２に示したように、いずれも音響撮像子器５と映像制御機器２とを信号線Ｌで接続し、それぞれの映像制御機器２には、映像信号伝送方向切換回路１、双方向信号伝送回路４、１組の信号多重・分離回路３，３を内蔵した２線式システム連携対応型アダプタ６を信号線Ｌで接続付加した構成になっている。
ここに、１組の信号多重・分離回路３は、通話のために使用される音声信号、映像表示のための映像信号、システムを制御するための制御信号を、周波数多重化方式を用いて多重化し、分離している。
【００２７】
図２に示した連携型システムは、２世帯連携型テレビインターホンシステムが代表的であり、その場合には、音響撮像子器５はカメラ付きドアホン子器、映像制御機器２及び２線式システム連携対応型アダプタ６はモニタテレビ付きインターホン親機が適用されるが、それには限定されない。また、この２線式システム連携対応型アダプタ６は、映像制御機器２とは別体である必要はなく、同一筐体に組み込まれた態様としても構わない。
【００２８】
図１は、第１の本発明をなす映像信号伝送方向切換回路を示している。
この伝送方向切換回路１は、映像制御機器２から伝送路Ｌｏを通じて出力される上り映像信号を増幅する第１の信号増幅器１１ａと、他システムから伝送路Ｌを通じて映像制御機器２側に入力される下り映像信号を増幅する第２の信号増幅器１１ｂとを、それぞれの入力端子がそれぞれの出力端子に接続されるように結線して、上り／下り映像信号増幅回路１１が構成されており、第１の信号増幅器１１ａの入力側には、制御用能動素子１３ａを有した映像信号遮断回路１３、第２の信号増幅器１１ｂには、能動素子１２ａを有した電源制御回路１２を設け、これらの制御用能動素子１３ａと能動素子１２ａとを、映像制御機器２でオン、オフ制御することで、第１、第２の信号増幅器１１ａ，１１ｂによって、上り映像信号、下り映像信号の通過を選択的に行うように構成されている。なお、Ｃは映像信号の通過を許容し、直流信号を遮断する直流遮断キャパシタ、ＺＳは、伝送路による信号の反射を防止するために設けたインピーダンス調整抵抗である。
【００２９】
図１の例では、第１の信号増幅器１１ａの入力側に映像信号遮断回路１３を設け、第２の信号増幅器１１ｂには、電源制御回路１２を設けた構成にしているが、第１の信号増幅器１１ａに電源制御回路１２を設け、第２の信号増幅器１１ｂの入力側には映像信号遮断回路１３を設けた構成にしてもよい。
【００３０】
図１、図２の構成では、信号線Ｌで接続された２つのシステムＳ１、Ｓ２の映像制御機器２，２のそれぞれから送出されて来る制御信号は、上記アダプタ６に内蔵された双方向制御信号伝送回路４を介して他のシステムへ伝送される。また、信号線Ｌ以外で映像制御機器２と信号多重分離回路３とを接続する伝送線も使用され、この伝送線は、信号端子Ｔ２を介してではなく、映像制御機器２に設けたコネクタＣ１と２線式システム連携対応型アダプタ６に設けたコネクタＣ２とで対をなす一対のコネクタＣ１、Ｃ２を介して、映像制御機器２と信号多重分離回路３とを接続している。また、一対のコネクタＣ１、Ｃ２を介して、映像制御機器２からの供給電源と信号とによって、上記した電源の供給／停止をすることで、上り映像信号と下り映像信号との択一的通過制御がなされている。
【００３１】
例えば、図２の構成で２世帯連携型のインターホンシステムを構成している場合、双方のシステムＳ１、Ｓ２を独立して動作させる場合には、映像制御機器２は、制御用能動素子１３ａと能動素子１２ａに対して、第１、第２の信号増幅器１１ａ，１１ｂによる映像信号の通過を遮断する制御信号を送出し、一方のシステムＳ１ないしＳ２で連携操作の設定、例えば、インターホンシステムに留守設定がなされた場合には、そのシステムＳ１の映像制御機器２に付加された映像信号伝送方向切換回路１は上り映像信号の通過を許可し、他システムＳ２の映像制御機器２には、留守設定要求を行う。
【００３２】
これによって、留守設定がなされたシステム側の映像制御機器２が音響撮像子器５から受けた映像信号を、他方のシステムの映像制御機器２で受けて、応答し、対応することが可能となる。例えば、システムが２世帯連携型のテレビインターホンを構成する場合は、留守設定された世帯のシステムのドアホン子器を来客が呼出操作すると、これに連携するもう一方の世帯のシステムのインターホン親機で応答し、来客の姿を見ながら通話することができる。
【００３３】
図３は、映像制御機器の内部構成を示したブロック図であり、図２に示したように、信号端子Ｔ１は信号線Ｌを通じて音響撮像子器５に接続され、信号端子Ｔ２は、２線式システム連携対応型アダプタ６、信号線Ｌを通じて別システムに接続されている。
【００３４】
映像制御機器２は、通話のためのマイクＭＣ、スピーカＳＰを備えた通話回路２１、音響撮像子器５から伝送されて来る来客の映像信号を処理する映像表示回路２２、来客の映像を映し出すＣＲＴや液晶画面などで構成されている映像モニタ２２ａに加えて、第１の信号多重分離回路２３、第２の信号多重分離回路２４、制御信号送受信回路２５、ＣＰＵなどで構成された制御回路２６、各部に電源を供給する電源回路２７を備えている。
【００３５】
ここに、第１の信号多重分離回路２３は、音響撮像子器５から送出されて来た多重化信号を、カメラ付ドアホン子器駆動用電源、音声信号、呼出信号を含んだ制御信号、映像信号に分離し、またこれらを多重化させて音響撮像子器５に送出している。
【００３６】
また、第２の信号多重分離回路２４は、他システムから伝送されて来た多重化信号を、音声信号、呼出信号を含んだ制御信号、映像信号に分離し、また、これらを多重化させて他システム側に送出している。これらは、バンドパスフィルター等の公知技術によって容易に構成される。
【００３７】
制御信号送受信回路２５は、操作部（不図示）の操作によって生成された各種の制御信号を多重化のため、第１の信号多重分離回路２３、第２の信号多重分離回路２４に送出し、また、音響撮像子器５や、他のシステムから多重信号の形で送出され、第１の信号多重分離回路２３、第２の信号多重分離回路２４で分離された制御信号を受信する。
【００３８】
ついで、信号遮断回路１３の具体例について説明する。以下では、いずれも、信号増幅器(第１、第２の信号増幅器１１ａ，１１ｂのいずれも可)の入力側に設けた例を示し、制御信号によって、能動素子Ｑ３、Ｑ５をオン、オフ制御して映像信号が信号増幅器に入力するのを禁止する構成となっている。
【００３９】
図４に示した映像信号遮断回路１３Ａは、信号増幅器の入力側に設けられ、容量Ｃ１を介して、伝送路Ｌｏを接地する制御用能動素子Ｑ３を備えているが、リレー素子を含んでいない。
【００４０】
ここに、制御用能動素子Ｑ３はトランジスタで構成され、そのベースに映像制御機器２からベース電流が供給されると、伝送路Ｌｏを容量Ｃ１を通じて接地するので、映像信号は容量Ｃ１を通じてグランドに流れ込んで遮断される構成になっている。また、この例では、制御用能動素子Ｑ３として、抵抗内蔵型トランジスタ素子を採用しているが、電界効果トランジスタ素子等を用いた構成も可能である。
【００４１】
図５に示した映像信号遮断回路１３Ｂは、信号入力用能動素子Ｑ４に供給される駆動電源を、映像制御機器２によってオン、オフ制御される制御用能動素子Ｑ５によって遮断する構成となっており、リレー素子を含んでいない。
【００４２】
ここに、信号入力用能動素子Ｑ４はトランジスタ素子のエミッタフォロワ回路を構成しており、そのエミッタフォロワ回路には、図６に示すように、抵抗素子や、直流遮断用コンデンサＣ２、Ｃ３が接続され、トラジスタ素子のベースを伝送路Ｌｏに接続して、映像信号を入力している。すなわち、この例では、トランジスタ素子Ｑ４のエミッタには抵抗を設け、更に容量Ｃ３を通じて、信号増幅器に入力している。
【００４３】
また、この例では、信号入力用能動素子Ｑ４、制御用能動素子Ｑ５として、トランジスタ素子を使用しているが、それらの替わりに、電界効果トランジスタ素子等を用いた構成も可能である。
【００４４】
図６に示した映像信号遮断回路１３Ｃは、図４の構成に、図５の構成を加えたもので、映像制御機器２によって制御用能動素子Ｑ５をオフにし、かつ制御用能動素子Ｑ３をオンにすることで、伝送路Ｌｏに加わった映像信号が信号増幅器に入力されるのを遮断している。
【００４５】
以上のような映像信号遮断回路１３を設ければ、それに対応した信号増幅器は、電源を遮断することなく、映像信号を遮断するだけで、上り映像信号、下り映像信号のいずれかの通過を許容し、あるいは阻止することができる。
【００４６】
また、このような伝送方向切換回路１では、第１の信号増幅器１１ａの電源は遮断せず、映像信号を通過させないときには一定の電圧レベルを保持する構成しているので、第２の信号増幅器１１ｂ側に受信側インピーダンス整合用抵抗を必要とせず、したがって信号増幅器からの出力は分圧による損失がないので、分圧による損失を補うために第１の信号増幅器１１ａの利得を大きく設定する必要もなくなる。
【００４７】
ついで、連携型映像信号伝送制御システムに使用される映像制御機器について説明する。
この映像制御機器２Ａは、図３に示した構成に、一方向信号伝達回路２８を備えている点に特徴がある。
【００４８】
すなわち、この映像制御機器２Ａは、図７に示したように、通話のためのマイクＭＣ、スピーカＳＰを備えた通話回路２１、来客の映像などを映し出すため映像信号を処理する映像表示回路２２、ＣＲＴや液晶画面などで構成されている映像モニタ２２ａに加えて、第１の信号多重分離回路２３、第２の信号多重分離回路２４、制御信号送受信回路２５、ＣＰＵなどで構成された制御手段２６、各部に電源を供給する電源回路２７を備えている。
【００４９】
ここに、第１の信号多重分離回路２３は、音響撮像子器５から送出されて来た多重化信号を、カメラ付ドアホン子器駆動用電源、音声信号、呼出信号を含んだ制御信号、映像信号に分離し、またこれらを多重化させて音響撮像子器５に送出している。
【００５０】
一方、第２の信号多重分離回路２４は、他システムから伝送されて来た多重化信号を、音声信号、呼出信号を含んだ制御信号、映像信号に分離し、また、これらを多重化させて他システムに送出している。
【００５１】
一方向映像信号伝達回路２８は、第１の信号多重分離回路２２で分離された映像信号が映像表示回路２２に入り込むことを許容するが、信号線Ｌで接続された相手システム側から伝送され、第２の信号分離回路２４で分離された映像信号が、更に第１の信号分離回路２３を通じて音響撮像子器５から反射された後に、映像表示回路２２に入り込んで、映像モニタ２２ａの映像に乱れを生じさせることを防止しており、このような構成にすることで、連携型システムを構成した場合にも、映像モニタ２８ａには画像の乱れのない鮮明な画像を映し出すことが可能となる。
【００５２】
制御信号送受信回路２５は、操作部（不図示）の操作によって生成された各種の制御信号を多重化のため、第１の信号多重分離回路２３、第２の信号多重分離回路２４に送出し、また、音響撮像子器５や、他のシステムから多重信号の形で送出され、第１の信号多重分離回路２３、第２の信号多重分離回路２４で分離された制御信号を受信する。
【００５３】
つぎに、連携型システムを構成する場合に使用される、映像制御機器用信号伝送方向切換装置について説明する。
【００５４】
この信号伝送方向切換装置１Ａは、図８に示したように、前述した映像信号伝送方向切換回路１と、相手側システムとの連携を確保するため、伝送路電圧監視手段７とを備えており、相互に連携するシステムのそれぞれに組み込まれて使用される。
【００５５】
ここに、伝送路電圧監視手段７は、伝送路Ｌｏに抵抗Ｒ１を接続付加して、基準電圧Ｖｒｅｆを印加する能動素子Ｑ６を有した基準電圧印加手段７１と、伝送路Ｌｏに接続された電圧検出抵抗Ｒ２に生じる電圧レベルＶｘを検出する電圧計測回路７２とを備えており、映像制御機器２は、映像信号を伝送路Ｌｏに出力させる前に、電圧計測回路７２を参照して、伝送路Ｌｏに生じる電圧レベルＶｘを判別し、その電圧レベルＶｘが上記基準電圧印加手段７１によって定まる所定値Ｖ１でないときには、上記基準電圧印加手段７１の能動素子Ｑ６をオン制御して、伝送路Ｌｏに基準電圧Ｖｒｅｆを印加してから、映像信号を送出する一方、伝送路Ｌｏの電圧レベルがＶ２であるときには、映像信号の送出を禁止することによって、連携するシステム間で送出する映像信号同士を衝突させないようにしている。すなわち、伝送路電圧監視手段７は、次のような原理で連携するシステム間で映像信号の衝突を防止している。
【００５６】
図９は、基準電圧印加手段７１の基本動作と、判別原理を説明している。
図９（ａ）は両方のシステムが映像信号の送出を休止している状態、図９（ｂ）は一方のシステムが映像信号の送出中であるかまたは送出準備中である状態、図９（ｃ）は両方のシステムが送出準備中である状態を示している。
【００５７】
なお、図９において、Ｖｘは伝送路Ｌｏに生じる電圧レベル、Ｖｏは基準電圧Ｖｒｅｆを伝送路Ｌｏに印加をしないときに生じている電圧レベルを示している（伝送路ＬｏはコンデンサＣ，Ｃで直流成分が遮断されているため、通常の状態では、殆どゼロに近い値になっている）。
【００５８】
これらの図から、一方のシステムが伝送路の電圧を計測したときに、他システムが映像信号の送出を休止しているとき（待機中）には、伝送路の電圧レベルはＶｏとなり、また、一方のシステムが伝送路の電圧を計測したときに、他システムが映像信号の送出中であるか、送出準備中であるとき（動作中）には、伝送路の電圧レベルＶｘは
略（Ｒ２／２）／［Ｒ１＋Ｒ２／２］・Ｖｒｅｆ＝Ｖ１になり、一方のシステムが映像信号を準備中の間に、他システムが送出準備中である場合には、伝送路の電圧レベルＶｘは、Ｒ２／（Ｒ１＋Ｒ２）・Ｖｒｅｆ＝Ｖ２となるので、映像信号の送り出し前に、電圧計測回路７２で、伝送路Ｌｏの電圧レベルを計測し、判別することで、映像信号の衝突が防止できる。
【００５９】
図１０のステップ１０１〜１１１は、映像信号を送出する側の映像制御機器での判別動作を示している。
【００６０】
映像信号の映像指令があると、電圧計測回路を参照し、伝送路の電圧レベルを計測する。
計測の結果、図９（ａ）の場合の値Ｖｏである場合には、相手側システムは待機中にあると判断して、基準電圧を伝送路に印加して送信準備中の状態に移行させるが、図９（ｂ）の場合には、相手側システム動作中と判断して送信を禁止する（ステップ１０２〜１０６、１０３〜１０４）。
【００６１】
そして、ステップ１０７では、再度、伝送路Ｌｏの電圧レベルＶｘを参照する。
その結果、図９（ａ）の場合の値Ｖ１である場合には、相手側システムは待機中にあると判断して、映像信号を送出するが、図９（ｃ）の場合の値Ｖ２である場合には、相手側システム動作中と判断して送信を禁止する（ステップ１０７〜１１１）。なお、自システムも、送信準備中には素子Ｑ６を閉じるので、電圧レベルＶｘが値Ｖｏになることはなく、値Ｖ１の場合には他システムが待機中なのは明らかである。
【００６２】
最後に、連携型の２世帯住戸向けテレビ付インターホンシステムへの適用例について説明する。
【００６３】
例えば、親世帯側住戸のモニタテレビ付インターホン親機が留守状態に設定されている場合に、親世帯側住戸の玄関口で来客がテレビカメラ付きドアホン子器から呼出を行うと、親世帯側住戸のモニタテレビ付インターホン親機に付加した映像信号伝送方向切換装置は、
伝送路の電圧を計測して、子世帯側住戸のインターホン親機が映像信号を送出中あるいは送出準備中になっているかを判別し、そうでなければ、子世帯側住戸のインターホン親機にドアホン子器から伝送されて来た映像信号を送出する。
【００６４】
子世帯側住戸のインターホン親機では、親世帯側住戸から留守設定信号を受けた時点で、映像信号伝送方向切換装置は映像信号の受け入を可能な状態に設定しているので、映像信号は、子世帯側住戸のインターホン親機の映像モニタに表示され、ドアホン子器の来客の呼出に応答して、来客の映像を見ながらの通話が可能となる。子世帯側住戸のインターホン親機が映像信号を送出中あるいは送出準備中になっている場合には、映像信号の送出しを中止して、映像信号伝送方向切換装置は映像信号の受け入を行なう。
【００６５】
子世帯側住戸のモニタテレビ付インターホン親機が留守状態に設定されている場合には、
親世帯側住戸のモニタテレビ付インターホン親機で来客に応答して、来客の映像を見ながらの通話が可能となる。
【図面の簡単な説明】
【００６６】
【図１】本発明の映像信号伝送方向切換回路の基本構成を示すブロック図。
【図２】連携型映像信号伝送制御システムの基本構成を示すブロック図。
【図３】本発明の映像制御機器の基本的な構成を示すブロック図。
【図４】映像信号遮断回路の一例を示す回路図。
【図５】映像信号遮断回路の別例を示す回路図。
【図６】映像信号遮断回路の更に別例を示す回路図。
【図７】本発明の連携型映像信号伝送制御システムに使用される映像制御機器の基本的な構成を示すブロック図。
【図８】本発明の映像制御機器用信号伝送方向切換装置を示すブロック図。
【図９】連携型映像信号伝送制御システムにおける映像信号の送出衝突防止原理を説明する図。
【図１０】連携型映像信号伝送制御システムにおける映像信号の衝突防止動作を説明するフローチャート。
【図１１】従来の映像信号伝送方向切換回路を示す図
【符号の説明】
【００６７】
１        映像信号伝送方向切換回路
２，２Ａ  映像制御機器
５        音響撮像子器
１１      上り／下り信号増幅回路
１１ａ，１１ｂ      第１、第２の信号増幅器
１２      電源制御回路
１２ａ    能動素子
１３、１３Ａ，１３Ｂ，１３Ｃ      信号遮断回路
１３ａ    制御用能動素子
７Ａ      映像制御機器用信号伝送方向切換装置
７      伝送路電圧監視手段
７１      基準電圧印加手段
７２      電圧計測回路
Ｖｒｅｆ    基準電圧
Ｌｏ      伝送路
Ｌ        信号線
Ｑ３，Ｑ５      制御用能動素子
２２，２３      第１、第２の信号多重分離回路
２２ａ    映像モニタ
２８      一方向映像信号伝達回路
【図１】
2006270842.tif 000003
【図２】
2006270842.tif 000004
【図３】
2006270842.tif 000005
【図４】
2006270842.tif 000006
【図５】
2006270842.tif 000007
【図６】
2006270842.tif 000008
【図７】
2006270842.tif 000009
【図８】
2006270842.tif 000010
【図９】
2006270842.tif 000011
【図１０】
2006270842.tif 000012
【図１１】
2006270842.tif 000013